(57)【特許請求の範囲】
【請求項１】
仮設足場において、並列する建枠の上下段の横地材間に斜めに架設する階段及び該階段上方の足場板のない開口部に取り付ける手摺枠であって、開口部用手摺枠は、その左右の側枠部の一方を、固定金具を介して上記並列する建枠の一方の上段側横地材に固定するとともに、他方を固定金具を介して前記階段の側桁に固定して開口部側方に取り付け、階段用手摺枠は、その枠上部を固定金具を介して前記開口部用手摺枠の枠下部に吊着するとともに、枠下部を固定金具を介して前記階段の側桁に固定して階段側方に取り付けるようになし、開口部用手摺枠と階段用手摺枠とが同一垂直面内で上下に連結されるようにしたことを特徴とする仮設足場の階段及び階段開口部取付用一体型手摺枠。
【請求項２】
開口部用手摺枠が、建枠の横地材に固定する一方の側枠部または該側枠部に平行な軸まわりに回転可能に取り付けられ、先端が固定金具を介して上記建枠の建地材に固定される開口部妻面用の手摺枠を備えている請求項１に記載の仮設足場の階段及び階段開口部取付用一体型手摺枠。
【請求項３】
開口部用手摺枠は、建枠の横地材に固定する一方の固定金具が、上記横地材に対して回動自在に掛止するフック状のつかみ金具であり、階段の側桁に固定する他方の固定金具が、階段側桁の任意の位置に固定可能なクランプ金具である請求項１又は２に記載の仮設足場の階段及び階段開口部取付用一体型手摺枠。
【発明の詳細な説明】
【０００１】
【産業上の利用分野】
この発明は、仮設足場の階段及び階段開口部の側方に取り付ける転落防止用の手摺枠の改良に関する。
【０００２】
【従来の技術】
ビル等の工事現場で数段高さに組まれる仮設足場においては通常、図３に示すように、下段の足場板１６1 と上段の足場板１６2 とを連絡する階段１５に、転落を防止するための階段用手摺枠１７が設けてある。また、階段１５上方に形成される足場板の敷設できない階段開口部６にも、該開口部からの転落を防止するための階段開口部用手摺枠２０が取り付けてある。
【０００３】
【発明が解決しようとする課題】
しかしながら、従来の階段用手摺枠１７は、その左右の垂直な支柱部１７ａ，１７ｂの下端を、それぞれ固定金具１８、１９を介して階段１５の側桁１５’に固定することにより、階段１５の側方に取り付けるようになっていた。また階段開口部用手摺枠２０は、その左右の側枠部を、それぞれ固定金具２１、２２を介して、けた方向に並列する建枠Ａ，Ｂの横地材Ａ’，Ｂ’に固定するとともに、当該手摺枠２０が備える妻面用手摺枠２３の先端を建枠Ａの建地材Ａ’’に固定して、階段開口部６の側方に取り付けるようになっていた。
【０００４】
このため、階段用手摺枠１７と階段開口部用手摺枠２０の両方を取り付けようとすると、開口部用手摺枠２０は、階段用手摺枠１７との枠どうしの干渉を避けるために、図４に示すように、階段用手摺枠１７の取り付け位置より外側にずらして取り付けなければならず、結果的に、同一スパンに開口部用手摺枠２０と階段用手摺枠１７とが平行に並ぶこととなり、作業スペースの大幅な減少をきたしていた。また、階段用手摺枠１７と開口部用手摺枠２０をそれぞれ個別に取り付けるのにも、相当な手間と時間を要していた。
【０００５】
本発明は、このような問題を解消するためになされたものであり、階段および階段開口部の双方に簡単かつ迅速に取り付けることができ、しかも作業スペースを全く減少させることのない階段及び階段開口部取付用一体型手摺枠の提供を目的とする。
【０００６】
【課題を解決するための手段】
上記目的を達成する本発明の階段及び階段開口部用一体型手摺枠は、仮設足場において、並列する建枠の上下段の横地材間に斜めに架設する階段及び該階段上方の足場板のない開口部に取り付ける手摺枠であって、開口部用手摺枠は、その左右の側枠部の一方を、固定金具を介して上記並列する建枠の一方の上段側横地材に固定するとともに、他方を固定金具を介して前記階段の側桁に固定して開口部側方に取り付けるようにする。また、階段用手摺枠は、その枠上部を固定金具を介して前記開口部用手摺枠の枠下部に吊着するとともに、枠下部を固定金具を介して前記階段の側桁に固定して階段側方に取り付けるようにする。これにより、開口部用手摺枠と階段用手摺枠とが同一垂直面内で上下に連結されるようにしたことを特徴とするものである。
【０００７】
本発明においては、開口部用手摺枠が、建枠の横地材に固定する一方の側枠部または該側枠部に平行な軸まわりに回転可能に取り付けられ、先端が固定金具を介して上記建枠の建地材に固定される開口部妻面用の手摺枠を備えているのが望ましい。
【０００８】
また、開口部用手摺枠は、建枠の横地材に固定する一方の固定金具が、上記横地材に対して回動自在に掛止するフック状のつかみ金具であり、階段の側桁に固定する他方の固定金具が、階段側桁の任意の位置に固定可能なクランプ金具であるのが好ましい。建枠のけた方向の並列間隔がメーターサイズであってもインチサイズであっても、いずれにも対応できるからである。
【０００９】
【発明の実施の形態】
図１は、本発明に係る階段及び階段開口部用一体型手摺枠の好ましい実施の形態であり、図中Ａ，Ｂは、仮設足場のけた方向に並列する建枠を、１５は下段の足場板１６1 と上段の足場板１６2 とを連絡するために、一方の建枠Ａの下段側横地材Ａ’と他方の建枠Ｂの上段側横地材Ｂ’との間に架設された階段を、１１は階段１５の側方に取り付けた階段用手摺枠を、６は建枠Ａ，Ｂの横地材Ａ’，Ｂ’間に形成される階段１５上方の足場板の敷設できない開口部を、１は開口部６の側方に取り付けた開口部用手摺枠を、それぞれ示している。
【００１０】
すなわち、開口部用手摺枠１は、左右の垂直な側枠部１ｄ，１ｂと上下の水平な枠上部１ａおよび枠下部１ｃとからなる矩形状をなしている。図示例では、手摺となる枠上部１ａと右側枠部１ｂとが一本の管材を曲げ成形して一体的に形成してある。また、右側枠部１ｂは、その下端が枠下部１ｃとの交点よりもさらに下方へ垂直に延長してあり、この延長端部に、階段１５の側桁１５’に固定する固定金具２が取り付けてある。この固定金具２は、上記側桁１５’の任意の位置に固定できるクランプ式のものである。同じく、枠下部１ｃは、その左端が左側枠部１ｄとの交点を越えてさらに左方へ水平に延長してあり、この延長端部に、一方の建枠Ａの横地材Ａ’に固定する固定金具３が取り付けてある。この固定金具３は、フック（爪体）を横地材Ａ’に対して回動自在に掛止する構造で、いわゆるつかみ金具と称するものである。このように一方の固定金具２をクランプ式に、他方の固定金具３をつかみ金具としたのは、建枠Ａ，Ｂのけた方向の並列間隔Ｌがメーターサイズ（１８００ｍｍ）かインチサイズ（１８２９ｍｍ）かで異なり、階段１５の傾斜角度が変わる場合でも対応可能とするためである。
【００１１】
開口部用手摺枠１の中央部には、左右の側枠部１ｄ，１ｂ間に水平に架設した補強用の中桟４が設けてある。また、中桟４と枠上部１ａとの間には、妻面用手摺枠５が設けてある。この妻面用手摺枠５は、図２に示すように、開口部６の妻面側Ｍに取り付けるものであり、図示例ではコ字形に形成されている。そして、その上下の水平部５ａ，５ｃ端が、それぞれ枠上部１ａと中桟４とに、左側枠部１ｄに平行な軸７，７にて可回転に取り付けてあり、先端の垂直部５ｂが上記水平部５ａ，５ｃを半径として軸７，７まわりに回転するようになっている。先端の垂直部５ｂには、建枠Ａの建地材Ａ’’に固定するクランプ式の固定金具８が設けてある。
【００１２】
また、開口部手摺枠１の中桟４と枠下部１ｃとの間には、補強用の斜材９が設けてある。この斜材９は、階段１５と同じ傾斜角度θにしてあり、階段用手摺の役目を兼備するものである。枠下部１ｃの下面側には、階段用手摺枠１１を吊着するための手摺取付金具１０が設けてある。この手摺取付金具１０には、階段用手摺枠１１の吊着位置が２ポジション１０1 ，１０2 設けてあり、建枠Ａ，Ｂのけた方向の並列間隔Ｌがメーターサイズかインチサイズかに応じて、その吊着位置が選択できるようになっている。
【００１３】
階段用手摺枠１１は、階段１５とほぼ同じ傾斜角度θに形成された傾斜枠部１１ａと、この傾斜枠部上端に連続する水平枠部１１ｂと、傾斜部下端に連続する垂直枠部１１ｃ、それに上記水平枠部１１ｂと垂直枠部１１ｃとの間に、傾斜枠部１１ａと平行に架設された補強枠部１２とで形成されており、上下方向に長い特異な矩形状をなしている。図示例の階段手摺枠１１は、傾斜枠部１１ａと水平枠部１１ｂと垂直枠部１１ｃとが、一本の管材を曲げ成形して一体に形成してある。
【００１４】
階段手摺枠１１には、その手摺枠上部を形成する水平枠部１１ｂの上面と、手摺枠下部を形成する垂直枠部１１ｃの下端に、それぞれ固定金具１３，１４が設けてある。水平枠部１１ｂの上面に設けた固定金具１３は、前記した開口部手摺枠１の手摺取付金具１０と係合し、ボルト等で固定する舌片状の固定金具である。また、垂直枠部１１ｃの下端に設けた固定金具１４は、階段１５の側桁１５’に固定するものであり、側桁１５’の任意の位置に固定可能なクランプ式の固定金具である。
【００１５】
上記構成よりなる階段及び階段開口部取付用一体型手摺枠を使用するには、先ず開口部用手摺枠１を取り付け、次いで階段用手摺枠１１を取り付ける。すなわち、開口部用手摺枠１を、仮設足場の階段１５上方に形成される足場板１６の架設できない建枠Ａ，Ｂ間の開口部６に持ち運び、その左側枠部１ｄを固定金具３にて建枠Ａの横地材Ａ’に固定し、右側枠部１ｂを固定金具２にて階段１５の側桁１５’に固定する。また、妻面用手摺枠５を外方へ回転させて、その先端５ｂの固定金具８を建枠Ａの建地材Ａ’’に固定する。これにより開口部用手摺枠１の階段開口部６側方への取り付けが完了する。
【００１６】
次いで、上記の如く取り付けられた開口部用手摺枠１の下方に階段用手摺枠１１を持ち運び、その水平枠部１１ｂ上面の固定金具１３を開口部用手摺枠１の枠下部１ｃ下面に設けられた手摺取付金具１０に固定する。また、垂直枠部１１ｃ下端の固定金具１４を階段１５の側桁１５’に固定する。これにより、階段用手摺枠１１は、開口部用手摺枠１の直下に吊着され、開口部用手摺枠１と同一垂直面内で上下に連結された形で、階段１５の側方に一体的に取り付けられることとなる。
【００１７】
【発明の効果】
以上に説明したとおり、本発明の階段及び階段開口部取付用一体型手摺枠は、仮設足場の階段側方に取り付ける階段用手摺枠と階段上方の階段開口部側方に取り付ける開口部用手摺枠とが、同一垂直面内で上下に連結される一体構造をなしている。したがって、これらの開口部用手摺枠と階段用手摺枠とを、それぞれ別個に取り付けていた従来のように、双方の手摺枠の取り付け位置を平行にずらせて、枠どうしの干渉を避ける必要がなく、それだけ広い作業スペースを確保することができる。
【００１８】
階段用手摺枠と開口部用手摺枠とは、予め一体に連結した状態で現場に持ち込むことができ、建枠や階段に対するわずか数カ所の固定作業のみで、両手摺枠を簡単かつ迅速に取り付けることができる。また、建枠のけた方向の並列間隔がメーターサイズでもインチサイズでも、いずれでも取り付け可能な構造であるから、部品点数が少なくて済み、合理的である。
【図面の簡単な説明】
【図１】本発明に係る階段及び階段開口部取付用一体型手摺枠を説明する側面図である。
【図２】図１の平面図である。
【図３】従来の階段用手摺枠及び階段開口部用手摺枠を説明する側面図である。
【図４】図３の平面図である。
【符号の説明】
１  開口部用手摺枠
２、３、８、１３、１４  固定金具
５  妻面用手摺枠
６  階段開口部
９  斜材
１０  手摺取付金具
１１  階段用手摺枠
１５  階段
１５’  階段の側桁
１７  従来の階段用手摺枠
２０  従来の階段開口部用手摺枠
Ａ，Ｂ  建枠
Ａ’  建枠の横地材
Ａ’’  建枠の建地材
Ｌ  建枠のけた方向の設置間隔
Ｍ  建枠の妻面側
【図１】
0003831247.tif 000002
【図２】
0003831247.tif 000003
【図３】
0003831247.tif 000004
【図４】
0003831247.tif 000005